(57)【要約】【課題】定時の温度が基準とする温度と異なる場合においても、基準とする温度における色彩値、標準色彩値と実測した色彩値の色差を精度良く測定可能な分光測色計を提供する。【解決手段】オンライン分光測色計は、分光部１、投光部２、信号処理部３、演算結果表示部４、及び測定対象物６の表面温度測定用の温度計５から構成され、測定対象物６の分光立体角反射率の測定と各種表色系による色彩表示と色差等を演算して表示する。信号処理部３においては、分光部１で測定された分光立体角反射率を、放射温度計５で測定された温度を用いて補正し、基準温度における分光立体角反射率を算出して、それを出力すると共に、以後の色彩値や色差値の演算に用いている。【選択図】  図１
2004163314.tif 000002
【特許請求の範囲】
【請求項１】
測定対象物の分光立体角反射率を測定する分光立体角反射率測定装置と、測定対象物の温度を測定する温度計を備え、あらかじめ測定されてメモリに記憶された測定対象物の分光立体角反射率の温度変化率と、測定温度と基準温度の温度差を掛けて、測定された分光立体角反射率をその値で補正して、前記基準温度での分光立体角反射率を求める温度補正演算器と、補正された分光立体角反射率に基づいて、前記基準温度における測定対象物の色彩を示すパラメータを決定して出力する色決定装置とを有することを特徴とする分光測色計。
【請求項２】
測定対象物の分光立体角反射率を測定する分光立体角反射率測定装置と、測定対象物の温度を測定する温度計を備え、あらかじめ測定されてメモリに記憶された測定対象物の分光立体角反射率の温度変化率と、測定温度と基準温度の温度差を掛けて、測定された分光立体角反射率をその値で補正して、前記基準温度での分光立体角反射率を求める温度補正演算器と、求められた基準温度での分光立体角反射率と基準温度での管理目標分光立体角反射率とを比較して出力する演算手段とを有することを特徴とする分光測色計。
【請求項３】
請求項２に記載の分光測色計であって、表示装置を有し、当該表示装置は、測定対象物の温度、測定分光立体角反射率、前記基準温度での分光立体角反射率、及び基準温度での管理目標分光立体角反射率を同一画面上に表示する機能を有することを特徴とする分光測色計。
【請求項４】
請求項１に記載の分光測色計であって、求められた基準温度での分光立体角反射率から当該基準温度での色彩値を演算する色彩値演算手段と、演算された色彩値と基準温度での管理目標色彩値の色差値を求める色差値演算手段とを有することを特徴とする分光測色計
【請求項５】
請求項４に記載の分光測色計であって、表示装置を有し、当該表示装置は、演算された基準温度での色彩値と基準温度での管理目標色彩値、又はこれらに加え両者の色差値を表示する機能を有することを特徴とする分光測色計。
【請求項６】
請求項１から請求項５のうちいずれか１項に記載の分光測色計であって、前記光立体角反射率測定装置の分光手段が、透過波長可変フィルタと、コリメータ又はファイバオプティクプレートと、リニアセンサとを有してなることを特徴とする分光測色計。
【請求項７】
請求項６に記載の分光測色計であって、前記コリメータが、穴を有する第１の金属薄板と穴を有しない第２の金属薄板を交互に重ね、その両側を押さえ板で押さえて、これらを熱圧着で拡散接合させて一体化し、その後、第１の金属薄板の穴を有する部分に対応する部分を、前記金属薄板の積層方向に切断することにより形成されたものであることを特徴とする分光測色計。
【請求項８】
請求項６に記載の分光測色計であって、前記コリメータが、請求項７に記載の分光測色計のコリメータにおける第２の金属薄板の代わりに、切断される部分に、前記第１の金属薄板の穴の幅方向を覆うだけの長さを有する穴を開けた金属薄板を使用し、その他は請求項７に記載の方法で製造されたものであることを特徴とする分光測色計。
【請求項９】
前記第１の金属薄板に形成された穴が、その長さ方向に形成されたグリッド部材を有することを特徴とする請求項７又は請求項８のうちいずれか１項に記載の分光測色計。
【請求項１０】
請求項６に記載の分光測色計であって、前記コリメータが、キャピラリプレートからなる分光測色計。
【請求項１１】
請求項１から請求項１０のうちいずれか１項に記載の分光測色計であって、前記光立体角反射率測定装置の光照射光源として、連続発光のキセノン光源を用いていることを特徴とする分光測色計。
【請求項１２】
請求項１から請求項１１のうちいずれか１項に記載の分光測色計であって、分光立体角反射率測定装置の光照射手段が、当該光照射手段における光源の光出力を二分する光分割器を有し、分割された一方の光が測定対象物に向かって照射され、他方の光は光源の発光スペクトルを測定する光源発光スペクトル測定装置に導かれ、分光立体角反射率測定装置は、前記分光部の信号を、前記光源発光スペクトル測定装置からの信号で補正して分光立体角反射率を演算する機能を有することを特徴とする分光測色計。
【発明の詳細な説明】
【０００１】
【発明の属する技術分野】
本発明は、製品の色彩を一定値に納めるべく製造する、塗装、印刷、製紙、樹脂成型などの各種の製造工程で、オンラインで色彩を計測するのに好適な分光測色計に関するものである。
【０００２】
【従来の技術】
従来、色彩値又は色差値の測定を行うには、測定対象物に光を照射し、測定対象物で反射した光を、分光立体角反射率測定装置で測定することにより測定対象物の分光立体角反射率を求め、その値から、例えばＪＩＳ  Ｚ  ８７２２に記載された演算式に従って、ＸＹＺ表示系の三刺激値Ｘ，Ｙ，Ｚを求めること方法等が採用されていた。このような分光測色系においては、分光立体角反射率測定装置に使用される分光器の性能が、色彩測定の精度を左右するが、従来の分光器の波長分解能は１０ｎｍより高くはなく、これにより、極めてラフな色彩測定しか行われてこなかった。
【０００３】
一方、顔料・塗料の製造プロセスでは、顔料・塗料が常温より高い温度で処理されることがある。また、顔料や塗料を塗装する工程では焼付け工程などが入るために、塗装対象物の温度が常温より高い場合がある。例えば、カラー鋼板製造ラインにおいて鋼板表面に塗装を施す場合、コータで塗料を鋼板表面上に塗布した後で、２００−３００℃の炉を通過させて焼付けを行う。
【０００４】
従って、オンライン分光測色計をライン出側につけた場合に、鋼板温度は常温まで下がっていない。特に夏場は雰囲気温度が高いので５０℃を超えることが多い。
【０００５】
【特許文献１】特開平５−３２２６３５号公報
【非特許文献１】「テレビジョン学会技術報告」（ファイバオプティックプレートとその応用）
【０００６】
【発明が解決しようとする課題】
前述のようなカラー鋼板を初め、種々の塗装における色彩は、常温における色彩で管理される。すなわち、常温における色彩が、定まった管理目標色彩値として設定され、分光立体角反射率測定装置を使用した分光測色計で測定した色彩値がこの管理目標色彩値値となるように、あるいは管理目標色彩値値から所定の範囲に入るように塗料の配合を制御することが行われてきた。
【０００７】
しかしながら、発明者等の実験の結果、塗料の温度変化に従って、分光立体角反射率測定装置で測定される分光立体角反射率が変化することが分かってきた。すなわち、発明者等は、高速・高分解能の分光センサを用いた印刷用のインライン分光測色計を発明して特願２００１−２４５８４５号として特許出願し、さらに、高精度の分光立体角反射率測定装置を発明し特願２００１−３２４３５１号として特許出願している。これらの発明に係る分光立体角反射率測定装置では、測定対象物の分光立体角反射率が高精度で測定できるようになったため、同じ測定対象物の分光立体角反射率を測定したときに、それらが温度に応じて変化することが確認されたものである。
【０００８】
その測定結果の一例を以下に示す。測定に使用した測定器の構成は図２に示すようなものであり、これは、特願２００１−２４５８４５号に記載された装置と同じものである。このオンライン色彩計は、分光部１、投光部２、信号処理部３、及び演算結果表示部４から構成され、測定対象物６の色彩を測定する。
【０００９】
分光部１は、透過波長可変フィルタ（分光部分）１１、ファイバオプティックプレート（ＦＯＰ）又はコリメータ１２、リニアセンサ（光電変換部）１３、アナログ信号発生部１４、テレセントリックレンズ（画像高倍率結像レンズ）１５から構成される。投光部２は、キセノン光源２１、光ファイバ２２、集光レンズ２３からなる。
【００１０】
図２に示したオンライン色彩計は、投光部２のキセノン光源２１の光を光ファイバ２２（バンドル光ファイバ）で導き、光ファイバ２２の先端部に設けられた集光レンズ２３を介して測定対象物６に投光する。集光レンズの働きにより、測定対象物の狭い面積（１２ｍｍ×８ｍｍ）にキセノン２１の光を集中的に投光することができる。なお、図示を省略しているが、キセノン光源２１の背面には反射鏡が設けられ、この反射鏡の作用により、可視光領域以外の光の放出率を小さくしている。この例では、測定対象物に対して斜め４５°方向から光を照射している。
【００１１】
測定対象物６の表面で反射された反射光は、分光部１のテレセントリックレンズ１５により集光され、測定対象物表面の像が透過波長可変フィルタ１１の受光面に結像されるようになっている。この光は、透過波長可変フィルタ１１によって分光され、ファイバオプティックプレート（ＦＯＰ）又はコリメータ１２を通してリニアセンサ１３に導かれる。リニアセンサ１３の各素子からの出力は、各波長における分光反射率に対応している。
【００１２】
これらの出力はアナログ信号発生部１４によりアナログ信号に変えられ、信号処理部３に送られる。信号処理部３では、得られた分光反射率から、分光立体角反射率を求め、その値と予め記憶されている各種の表色系の計算式又は色差の計算式とに基づいて色彩又は色差を演算する。演算結果は演算結果表示部４に表示される。測定器の波長分解能は１．５ｎｍ、測定波長範囲は、４００−７００ｎｍ、投受角は４５°、受光角は０°である。測定エリアは前述のように約１５ｍｍ×３ｍｍとしている。
【００１３】
図３に、工芸用タイルを２５℃に保った時と５５℃に加熱したときの赤タイル、暗い赤タイル、橙タイル、黄色タイル、緑タイル、青タイルなどの、図１に示すようなオンライン色彩計による分光立体角反射率の測定結果を示す。
【００１４】
図４に、この結果に基づく５５℃のときの分光立体角反射率と２５℃のときの分光立体角反射率の差を示す。赤タイル、暗い赤タイル、橙タイル、黄タイルはほぼ同じようなパターンで変化している。緑タイル、青タイルはやや異なることが分かる。
【００１５】
各温度で測定された分光立体角反射率から計算された２５℃と５５℃における各タイルの色彩値と色差値を表１示す。この時の色差値の変化をまとめたものが、表２及び図５である。
表１  工芸用タイルの約２５℃と約５５℃の時の色彩値と色差
【００１６】
【表１】
2004163314.tif 000003
【００１７】
表２  工芸用タイルの約２５℃の色差値を基準としたときの５５℃の色差
【００１８】
【表２】
2004163314.tif 000004
【００１９】
最近では、色彩値の管理精度の向上が望まれている。厳しい場合には、限度見本が色差として±１．０という場合もある。このような場合に測定対象の温度が３０℃程度変化しただけで、色差（ΔＥ）が３〜６も変化したのでは、オンラインで色彩を測定して制御を行っても、最終製品の色彩値を目標の値に制御するのが困難であることは、明白である。色差が６変化する場合の１℃あたりの変化量は０．２となる。
【００２０】
こららの結果から分光測色計の安定度をいくら上げても、測定対象物の温度が変化する場合には意味をなさないことがわかる。よって、正確な色彩値の測定を行うためには、温度の影響を除く方法が必要となる。
【００２１】
発明者等は、次に、ＮＰＬ（Ｎａｔｉｏｎａｌ  Ｐｈｙｓｉｃａｌ  Ｌａｂｏｒａｔｏｒｙ；  英国）が提供している色標準タイルと、市販の工芸用タイルの比較をしてみた。ＮＰＬのサンプルは、ＲＥＤ、ＯＲＡＮＧＥ、ＧＲＥＥＮの３枚で、測定した温度変化範囲は約２５℃から４０℃である。工芸用タイルは赤タイル、橙タイル、緑タイルの３枚で、測定した温度変化範囲は約２５℃から５５℃である。図６に常温（約２５℃）の分光立体角反射率を、図７に１℃あたりの分光立体角反射率の変化量の計算値を示す。
【００２２】
ここでは、比較的温度の影響を受けやすいもののデータを示したが、温度の影響も受けにくいものも有るので、その例をＮＰＬの標準サンプルの測定結果として表３に示す。表３は、色差のへの温度の影響が大きい順に並べてまとめた。
【００２３】
ＰＡＬＥ、ＧＲＡＹ、ＤＩＦＥＲＥＮＣＥ  ＧＲＡＹ、ＤＥＥＰ  ＧＲＡＹ、ＭＩＤ  ＧＲＡＹなどの色差は小さい。これらの分光立体角反射率はほぼ波長に対してフラットで、ａ＊，ｂ＊の値が０に近く、温度の影響はきわめて小さい。
（表３）
【００２４】
【表３】
2004163314.tif 000005
【００２５】
以上の結果から、容易に言えることは、色が似ていても塗料やその製造方法が異なれば、分光立体角反射率及び温度変化の影響の受け方も異なるということである。
【００２６】
本発明はこのような事情に鑑みてなされたもので、測定時の温度が基準とする温度と異なる場合においても、基準とする温度における色彩値、標準色彩値と実測した色彩値の色差を精度良く測定可能な分光測色計を提供することを課題とする。
【００２７】
【課題を解決する手段】
前記課題を解決するための第１の手段は、測定対象物の分光立体角反射率を測定する分光立体角反射率測定装置と、測定対象物の温度を測定する温度計を備え、あらかじめ測定されてメモリに記憶された測定対象物の分光立体角反射率の温度変化率と、測定温度と基準温度の温度差を掛けて、測定された分光立体角反射率をその値で補正して、前記基準温度での分光立体角反射率を求める温度補正演算器と、補正された分光立体角反射率に基づいて、前記基準温度における測定対象物の色彩を示すパラメータを決定して出力する色決定装置とを有することを特徴とする分光測色計（請求項１）である。
【００２８】
本手段においては、温度計で測定対象物の温度を測定する。温度補正演算器には、そのメモリに測定対象物の分光立体角反射率の温度変化率が予め測定されて記憶されている。温度補正演算器は、実測温度と基準温度との差にこの温度変化率を掛けて、分光立体角反射率の基準温度からの変化量を求め、これから、基準温度での分光立体角反射率を求める。色決定装置は、従来のものと同じであり、補正された分光立体角反射率（すなわち、基準温度での分光立体角反射率）から、所定の演算により基準温度における測定対象物の色彩を示すパラメータを決定して出力する。
【００２９】
すなわち、本手段は、従来の手段と異なり、測定対象物の温度が基準温度と異なる場合でも、温度補正を行っているので、基準温度における測定対象物の色彩を示すパラメータを求めて出力することができる。
【００３０】
前記課題を解決するための第２の手段は、測定対象物の分光立体角反射率を測定する分光立体角反射率測定装置と、測定対象物の温度を測定する温度計を備え、あらかじめ測定されてメモリに記憶された測定対象物の分光立体角反射率の温度変化率と、測定温度と基準温度の温度差を掛けて、測定された分光立体角反射率をその値で補正して、前記基準温度での分光立体角反射率を求める温度補正演算器と、求められた基準温度での分光立体角反射率と基準温度での管理目標分光立体角反射率とを比較して出力する演算手段とを有することを特徴とする分光測色計（請求項２）である。
【００３１】
本手段においては、前記第１の手段で説明したような方法により求められた基準温度での分光立体角反射率と、基準温度での管理目標分光立体角反射率とを比較して出力する演算手段を有している。ここで、比較して出力するとは、その差を出力したり、その差が所定値以内に入っているかどうかを出力したり、両者を同時に表示してその差を目視確認できるようにすることである。本手段によれば、基準温度での分光立体角反射率が管理目標分光立体角反射率からどの程度離れているか、あるいは許容範囲に入っているかどうかを判別することが容易となる。
【００３２】
前記課題を解決するための第３の手段は、前記第２の手段であって、表示装置を有し、当該表示装置は、測定対象物の温度、測定分光立体角反射率、前記基準温度での分光立体角反射率、及び基準温度での管理目標分光立体角反射率を同一画面上に表示する機能を有することを特徴とするもの（請求項３）である。
【００３３】
本手段によれば、測定対象物の温度や、その温度における測定分光立体角反射率と共に、基準温度での分光立体角反射率、管理目標分光立体角反射率を同時に表示画面で確認することができるので、測定対象物の色彩の状態を、より正確に把握することができる。
【００３４】
前記課題を解決するための第４の手段は、前記第１の手段であって、求められた基準温度での分光立体角反射率から当該基準温度での色彩値を演算する色彩値演算手段と、演算された色彩値と基準温度での管理目標色彩値の色差値を求める色差値演算手段とを有することを特徴とするもの（請求項２）である。
【００３５】
本手段によれば、色差値演算手段が、演算された色彩値と基準温度での管理目標色彩値の色差値を求めているので、基準温度における色彩値が管理目標色彩値からどの程度ずれているかを把握することができる。
【００３６】
前記課題を解決するための第５の手段は、前記第４の手段であって、表示装置を有し、当該表示装置は、演算された基準温度での色彩値と基準温度での管理目標色彩値、又はこれらに加え両者の色差値を表示する機能を有することを特徴とするもの（請求項５）である。
【００３７】
本手段においては、演算された基準温度での色彩値と基準温度での管理目標色彩値、又はこれらに加え両者の色差値を表示することができるので、基準温度における色彩値が管理目標色彩値からどの程度ずれているかを、目視的に把握することができる。
【００３８】
前記課題を解決するための第６の手段は、前記第１の手段から第５の手段のいずれかであって、前記光立体角反射率測定装置の分光手段が、透過波長可変フィルタと、コリメータ又はファイバオプティクプレートと、リニアセンサとを有してなることを特徴とするもの（請求項６）である。
【００３９】
従来の装置においては、分光器としてプリズムや回折格子を使用し、これらを回転させて回折光を一つの光センサで受光したり、プリズムや回折格子で分光された光をリニアセンサで受光する方式をとっている。前者の場合は、応答が遅いためオンラインで使用するのは不可能であり、後者の場合は、リニアセンサで受光する光の強さが不十分であるために、精度の良い測定ができない。また、いずれの方法でも、測定装置が大きくなり、やはりオンラインで使用することができなかった。
【００４０】
本手段においては、分光部に、透過波長可変フィルタと、ファイバオプティクプレート又はコリメータと、リニアセンサを有していることが従来の装置と異なっている点である。等価波長可変フィルタ（Ｌｉｎｅａｒ  Ｖａｒｉａｂｌｅ  Ｆｉｌｔｅｒ：以下ＬＶＦと称することがある）は、例えば特開平５−３２２６３５号公報（特許文献１）に開示されているように公知の光学素子であり、この受光面に光を照射した場合、光の入射する位置によって決まる波長のみの光を透過するので、これによって分光が可能であり、かつ、１０ｎｍより高い波長分解能で分光を行うことができる。
【００４１】
そして、本手段においては、この透過波長可変フィルタとリニアセンサの間にファイバオプティクプレート又はコリメータを挟み、透過波長可変フィルタの各部からの反射光をリニアセンサの対応する受光面に導いている。
【００４２】
ファイバオプティックプレートとは、微細な断面積（通常最大対角線長が６〜２５μｍの正六角形）を有する光ファイバを多数寄せ集めてプレートとしたもので、１本の光ファイバに入射した光は、その光ファイバのコアとクラッドの境界面で全反射し、光ファイバの内部を伝わって他の端面に達するような構造を有するものである。その構造については、「テレビジョン学会技術報告、１９９０年９月２８日発表」の「ファイバオプティックプレートとその応用」（非特許文献１）に記載されている。
【００４３】
このように、ファイバオプティックプレートを光伝達手段として使用することにより、透過波長可変フィルタから出射される光を拡散させることなく、かつ、光の吸収率が小さい状態で、透過波長可変フィルタの出射位置に対応する、リニアセンサの位置に導くことができる。そして、リニアセンサの各素子の出力を検出することにより、透過波長可変フィルタの受光面に入射した光の分光を行うことができる。
【００４４】
よって、波長分解能、精度、光量伝達率が優れた分光測定装置とすることができるので、リニアセンサの走査速度を早くしても十分に応答することができ、高速測定が可能となる。又、光伝達の際に、場所による伝達効率の違いによりノイズが発生することが無いので、信号処理の際、微分を行うことが可能となる。（発明者らは、このような方式の分光測定装置について特願２００１−７８１７６号として特許出願を行っている。）。
【００４５】
又、本手段で用いるコリメータは、後に実施の形態で詳しく説明するように、微小な部分から放出される光を、隣り合う微小な部分の光と分離して所定の距離だけ導く性質を有するものであり、透過波長可変フィルタから出射される光を拡散させることなく、かつ、光の吸収率が小さい状態で、透過波長可変フィルタの出射位置に対応する、リニアセンサの位置に導くことができる。よって、ファイバオプティックプレートを光伝達手段として用いたのと同等以上の効果を奏することができる。
【００４６】
すなわち、本手段において用いる分光部は新規なものであり、従来の透過波長可変フィルタとリニアセンサを組み合わせた分光装置に比べて、精度が高い分光特性性能が得られることに特徴を有する。
【００４７】
このような方式の分光装置においては、十分な強度の光がリニアセンサに導かれるので、十分な精度と十分な応答速度で分光を実施できる。よって、本手段によれば、高速で通過する測定対象物の色彩をオンラインで測定することが可能となる。
【００４８】
前記課題を解決するための第７の手段は、前記第６の手段であって、前記コリメータが、穴を有する第１の金属薄板と穴を有しない第２の金属薄板を交互に重ね、その両側を押さえ板で押さえて、これらを熱圧着で拡散接合させて一体化し、その後、第１の金属薄板の穴を有する部分に対応する部分を、前記金属薄板の積層方向に切断することにより形成されたものであることを特徴とするもの（請求項７）である。
【００４９】
本手段によって形成されるコリメータは、前記第１の金属薄板の厚さを幅とする穴が、前記第２の金属薄板の厚さの間隔を空けて複数平行に形成された構造のものとなる。即ち、第１の金属薄板の枚数だけの開口部を有するコリメータが形成される。第１の金属薄板と第２の金属薄板は熱接着による拡散接合で接合されるため、十分薄い、すなわち十μｍの単位の厚さのものでも使用することができ、これにより、十μｍの単位の幅の穴が十μｍの単位の間隔で多数形成されたコリメータを形成することができる。
【００５０】
前記課題を解決するための第８の手段は、前記第６の手段であって、前記コリメータが、請求項７に記載の分光測色計のコリメータにおける第２の金属薄板の代わりに、切断される部分に、前記第１の金属薄板の穴の幅方向を覆うだけの長さを有する穴を開けた金属薄板を使用し、その他は請求項７に記載の方法で製造されたものであることを特徴とするもの（請求項８）である。
【００５１】
本手段においては、第２の金属薄板の代わりに、切断される部分に、前記第１の金属薄板の穴の幅方向を覆うだけの長さを有する穴を開けた金属薄板を使用している。即ち、第２の金属薄板には、切断される部分に穴が開けられ、その穴の切断面における長さは、前記第１の金属薄板の穴の切断面における長さ以上であり、切断面においては第２の金属薄板の穴が、第１の金属薄板の穴をカバーするようになっている。
【００５２】
そのため、切断を行う場合に、前記第１の金属薄板の穴に切断部分がかかるまで切断すればよく、第２の金属薄板のうち、コリメータの穴の隔壁を構成する部分は切断する必要がない（予め穴が開けられている）。よって、この部分が切断時の切断力や熱により変形することがない。
【００５３】
前記課題を解決するための第９の手段は、前記第７の手段又は第８の手段であって、前記第１の金属薄板に形成された穴が、その長さ方向に形成されたグリッド部材を有することを特徴とするもの（請求項９）である。
【００５４】
本手段においては、第１の金属薄板に形成された穴が、その長さ方向、即ち、切断面と直角方向に形成されたグリッド部材を有する。このグリッド部材は、後に発明の実施の形態の欄で図を用いて詳しく説明されるように、コリメータが完成したとき、コリメータの穴の隔壁を構成する第２の金属薄板を支持する梁の役割を果たし、第２の金属薄板の変形を防止する。よって、正確な形状の穴を有するコリメータとすることができる。
【００５５】
前記課題を解決するための第１０の手段は、前記第６の手段であって、前記コリメータが、キャピラリプレートからなるもの（請求項１０）である。
【００５６】
キャピラリプレートは、本来はイメージインテンシファイアとして作られているが、本手段においてはこれをコリメータとして使用している。キャピラリプレートは以下のようにして製造される。内管と外管で成分の異なる二重管ガラスを、適当な太さに引き伸ばし、最稠密配置になるように配置し、加熱処理してガラス管を融着させる。そして、断面カット後に二重管の内管を酸で溶かし、空洞部を作る。こうしてできたキャピラリ―プレートに対し、表面及び空洞の側壁が反射率ゼロになるように、黒化処理を行う。
【００５７】
こうすると、キャピラリ―プレートの片面から入った光は、空洞部を通過する間に、空洞の軸に平行な光が直進し、角度が付いた光は空洞壁で反射するたびに吸収され減衰し、空洞長さが長い場合は反対側の面には、到達しないことになる。キャピラリプレートはこのようにして構成されているので、コリメータとして使用できる。
【００５８】
前記課題を解決するための第１１の手段は、前記第１の手段から第１０の手段のいずれかであって、前記光立体角反射率測定装置の光照射光源として、連続発光のキセノン光源を用いていることを特徴とする分光測色計（請求項１１）である。
【００５９】
光源としては、発光波長分布が可視域である４００−７００ｎｍの部分でエネルギーが大きく、４００ｎｍ以下及び７００ｎｍ以上でエネルギーが小さく、発光スペクトルの強度変動が小さいものが好ましい。特に近赤外域のエネルギーが大きいと、測定対象物が高速で走行時は問題ないが、停止時にはそのエネルギーを測定対象物が吸収し、発火する恐れがある。これらのことから、光源としては、近赤外域のエネルギーの小さいキセノン光源が好ましい。
【００６０】
前記課題を解決するための第１２の手段は、前記第１の手段から第１１の手段のいずれかであって、分光立体角反射率測定装置の光照射手段が、当該光照射手段における光源の光出力を二分する光分割器を有し、分割された一方の光が測定対象物に向かって照射され、他方の光は光源の発光スペクトルを測定する光源発光スペクトル測定装置に導かれ、分光立体角反射率測定装置は、前記分光部の信号を、前記光源発光スペクトル測定装置からの信号で補正して分光立体角反射率を演算する機能を有することを特徴とするもの（請求項１２）である。
【００６１】
連続スペクトルを放出する光源には、そのスペクトル分布が時間と共に変動するものが多い。例えば、本発明に用いるのに推奨されるキセノン光源は、電圧の変動、キセノンガスの熱揺らぎによりそのスペクトル分布が変動する。電圧変動は高精度の安定化が可能であるが、キセノンガスの熱揺らぎを防止することは困難であり、発明者らの実験によれば、常用標準白色面の分光反射率の繰り返し性が、標準偏差で０．５％程度になることが分かった。当然のことであるが、光源のスペクトル分布の変動は、同じ試料から受光される反射光のスペクトル分布の変動を引き起こし、色彩の測定に誤差を生じる。
【００６２】
これに対し、本手段においては、光源の光を二分し、一方の光を用いて測定対象物の反射光の分光を行い、他方の光を分光器で分光して発光スペクトルを求め、測定対象物の反射光の分光測定値を、発光スペクトルで補正して分光立体角反射率を求めるようにしている。よって、光源スペクトル分布が変動しても、正確な色彩の測定が可能となる。
【００６３】
なお、本手段においては、分光立体角反射率測定装置が、前記分光部の信号を、前記光源発光スペクトル測定装置からの信号で補正して分光立体角反射率を演算するようにしているが、このような構成とせず、前記分光部の信号を用いて分光立体角反射率を演算し、求められた分光立体角反射率を光源発光スペクトル測定装置からの信号で補正するようにしてもよく、このようなバリエーションが本手段と均等なものであることは言うまでもない。
【００６４】
【発明の実施の形態】
以下、本発明の実施の形態の例を、図を用いて説明する。図１は本発明の第１の実施の形態であるオンライン分光測色計の構成を示す図である。
オンライン分光測色計は、分光部１、投光部２、信号処理部３、演算結果表示部４、及び測定対象物６の表面温度測定用の温度計５から構成され、測定対象物６の分光立体角反射率の測定と各種表色系による色彩表示と色差等を演算して表示する。
【００６５】
分光部１は、透過波長可変フィルタ（分光部分）１１、またはファイバオプティックプレート１２、リニアセンサ（光電変換部）１３、分光信号発生回路１４、受光レンズ１５からなる。投光部２は連続発光のキセノン光源２１、光ファイバ２２、投光レンズ２３からなる。
【００６６】
受光レンズ１５及び投光レンズ２３の倍率は測定面積と測定距離によってそれぞれ選定する。本分光測色計はオンラインで使用することを目指しているので、対象物との接触を防止する測定距離を選ぶ。測定距離を１０ｍｍ以上になるように選定することが望ましい。投受光角は、投光角が４５°で受光角が０°になるように設定している。
【００６７】
この実施の形態であるオンライン分光測色計は、測定対象の温度変化を補正して、基準温度における、分光立体角反射率の測定と各種表色系による色彩表示と色差を出力するものであるので、分光測定場所の近傍で測定対象温度とほぼ等しいと考えられる位置を測定視野とする放射温度計５を有している。測定温度が低いので、測定波長が７−１４μｍ帯の遠赤外に感度を持つ放射温度計を用いることが望ましい。測定対象物６が移動する場合には、分光部１との距離変動が小さくなる場所を選定して測定する。
【００６８】
この実施の形態における、透過波長可変フィルタ１１とコリメータ１２とリニアセンサ１３の総合性能は次の通りである。
１．波長測定範囲    ４００−７００ｎｍ
２．波長分解能      １．５ｎｍ
３．出力点数        ２０１点
４．Ａ／Ｄ変換      １２ビット
５．走査周期        ２０ｍｓ（光量最大の場合は１ｍｓｅｃも可能）
【００６９】
この実施の形態の特徴の一つは、連続発光のキセノン光源２１を用いていることである。従来のオンライン色差計は、キセノンのストロボ光源を使用しているものが殆どである。従って、測定周期はストロボ光源の発光周期に制限を受ける。
最近では、色差の管理メッシュも細かくなっており、連続測定ができ高速走査可能な分光測色計が求められている。本実施の形態では、測定周期を短くするために連続発光のキセノン光源２１を使用している。
【００７０】
信号処理部３においては、分光部１で測定された分光立体角反射率を、放射温度計５で測定された温度を用いて補正し、基準温度における分光立体角反射率を算出して、それを出力すると共に、以後の色彩値や色差値の演算に用いている。
【００７１】
この補正演算の例を以下に示す。信号処理部３内のメモリには、各塗料毎の、分光立体角反射率の温度係数が格納されている。この温度係数は、測定に先立ち、以下のようなプロセスにより測定されて格納される。
【００７２】
まず第１に測定サンプルについて基準温度での分光立体角反射率を測定する。ＮＰＬでは基準温度を２３℃としているが、ここでは２５℃として説明する。
測定対象の温度を変化させて、分光立体角反射率を測定する。温度変化レベルを多くすれば、温度係数はより正確になるが、測定サンプルの数が多い場合は、実際にオンラインで予想される最高温度と基準温度の二水準のみで測定を行い、これから温度係数を求めてもよい。ただし、温度変化の影響が非線形になることが予想される場合は、測定点を増やし、温度係数を温度の関数にする必要がある。
【００７３】
以下、前述の赤タイル（工芸用）の場合を例として説明する。赤タイルの５５℃と２５℃（基準温度）の分光立体角反射率Ｒλ５５と、Ｒλ２５をオフラインで測定する。
そして、分光立体角反射率の１℃あたりの変化率ΔＲλを求める。
ΔＲλ＝（Ｒλ５５−Ｒλ２５）／３０  …（１）
この値を測定波長λごとに、メモリに格納しておく。
【００７４】
実測状態における基準温度（２５℃）における分光立体角反射率Ｒλｘ２５は、以下のようにして求める。ただし、ＲλＴｘは実測された測定対象の分光立体角反射率であり、Ｔｘはそのときに測定された測定対象の温度である。
Ｒλｘ２５＝ＲλＴｘ−ΔＲλ＊（Ｔｘ−２５）  …（２）
なお、２５℃の分光立体角反射率から任意の温度Ｔ℃での分光立体角反射率ＲλｘＴは以下の（３）式で計算できる。
ＲλｘＴ＝Ｒλ２５＋ΔＲλ＊（Ｔ−２５）  …（３）
【００７５】
図８に２５℃、５５℃における赤タイルの分光立体角反射率の実測値と、（３）式により求めた３５℃、４５℃、６５℃の分光立体角反射率を示す。また図中に５５℃と２５℃の分光立体角反射率の差も示す。
【００７６】
図９には、（３）式により計算された各温度における分光立体角反射率を用いて計算された、種々のタイルにおける各色彩値Ｌ＊，ａ＊，ｂ＊と温度の関係を示す。（ａ）は赤タイル、（ｂ）は橙タイル、（ｃ）は黄タイル、（ｄ）は緑タイルについてのものである。各色彩値は、この範囲では温度に対しほぼ直線的に変化している。
【００７７】
実際には、オンラインでの測定時に、基準温度での管理目標分光立体角反射率Ｒλｙと、基準温度における分光立体角反射率（計算値）Ｒλｘ２５と、実測された分光立体角反射率ＲλＴｘ及び測定対象温度を同時に演算結果表示部４上に表示すれば、温度の影響具合を知ると共に、基準温度における分光立体角反射率（計算値）Ｒλｘ２５と、実測された分光立体角反射率ＲλＴｘとの差を容易に知ることができる。
【００７８】
基準温度における分光立体角反射率が求まれば、各表色系の色彩値及び色差値を計算することは容易であり、周知の任意の方法が使用できる。そして演算結果表示部４上に、目標管理色彩値との色差値も数値表示すれば、オンライン測定時のデータから、測定対象が基準温度（２５℃）になった時に、色彩値が目標管理範囲に入るかどうかの判断ができることになる。
特願２００１−２４５８４５「カラー印刷機のインクの色彩測定装置」に分光立体角反射率と各種の色彩値、及び色差の求め方は詳細が記述されている。ここでは、温度の影響をどう補正するかを中心に説明する。
【００７９】
図１０は、信号処理の１例を示すフローチャートである。信号処理部３には、事前に下記のデータが入力、記憶されている。
（１）  各サンプルに対応する基準温度での管理目標分光立体角反射率３４
（２）  各サンプルの分光立体角反射率の温度変化率データ３５
（３）  色彩計算に用いる光源色の分光分布データ７３
（４）  ＸＹＺ表色系の等色関数７４
（５）  各種色空間の色彩の表示式と色差の式７５
【００８０】
測定に当たってサンプル名入力器６０からサンプル名３３が登録される。これにより、該当するサンプルの基準温度での管理目標分光立体角反射率３４と分光立体角反射率の温度変換データ３５が準備される。また該当するサンプルの基準温度での管理目標分光立体角反射率３４と色彩計算に用いる光源色の分光分布７３及びＸＹＺ表色系の等色関数７４から、基準温度での目標管理三刺激値演算３９を実施する。
【００８１】
その結果と色空間表示式を用いて、基準温度の管理目標色空間表示値演算７２（例えばＬ＊．ａ＊，ｂ＊）を行う。この値を元に後述の色差値の計算を行う。
【００８２】
分光部１から得られた分光立体角反射率データ（ＲλＴｘ）３１と、温度計５から得られた温度値（Ｔｘ）３２と、該当サンプルの分光立体角反射率の温度変化率データ（ΔＲλ）３５とから、（２）式に従って基準温度での分光立体角反射率の補正演算処理３６により補正分光立体角反射率Ｒλ２５を求める。
【００８３】
分光立体角反射率生データ３１と温度補正後の分光立体角反射率を用い、色彩計算に用いる光源色の分光分布７３及びＸＹＺ表色系の等色関数から、それぞれの三刺激値演算３７、３８それぞれのＸＹＺ値を得る。
【００８４】
次に三刺激値演算結果３７、３８と色空間表示式と色差式７５及び基準温度の管理目標色空間表示値演算７２（例えばＬ＊．ａ＊，ｂ＊、ΔＥ＊ａｂ）などを用いて、測定温度及び基準温度に補正した色空間表示値および色差演算７０、７１を実施する。
【００８５】
これらの演算により、生データの分光立体角反射率・三刺激値ＸＹＺ・色空間表示値および色差（例えば、Ｌ＊．ａ＊，ｂ＊、ΔＥ＊ａｂ）と、温度補正した分光立体角反射率・三刺激値ＸＹＺ・色空間表示値および色差（例えば、Ｌ＊．ａ＊，ｂ＊、ΔＥ＊ａｂ）とを求めることができる。
【００８６】
演算結果表示部４には信号処理部３から送られたデータを、生データ、温度補正データ、基準温度での管理目標データなどについて、４−１分光立体角反射率、４−２三刺激値、４−３色空間表示値と色差（例えば、Ｌ＊．ａ＊，ｂ＊、ΔＥ＊ａｂ）、などを表示する。そして４−４温度、４−５サンプル名なども表示する。
【００８７】
上記のほかに、管理限界を越えているかどうかの判定と表示などを行ってもよい。
【００８８】
なお、以上の説明において、分光立体角反射率から色彩値を演算する方法は周知なものとしているが、一応念のために、その例を以下に説明する。
【００８９】
色の測定方法は日本工業規格ＪＩＳ  Ｚ  ８７２２に規定されている。この分光測色方法に従うのが望ましく、本実施の形態では光学系、反射率測定方法はこれに基づいたものとしている。
【００９０】
従って、常用標準白色面の分光反射強度をディジタル信号処理回路で出力した値を記憶し、測定対象物の分光反射強度を測定し、記憶した値で割り算すれば、測定対象物の分光立体角反射率が求まる。
【００９１】
分光立体角反射率が求まれば、信号処理部３で、ＪＩＳ  Ｚ  ８７２２で規定された演算式に従いＸＹＺ表色系の三刺激値Ｘ，Ｙ，Ｚを求める。最近では１０°視野のＸ１０Ｙ１０Ｚ１０表色系が用いられることが多い。この三刺激値とあらかじめ決めた光源色のスペクトルとから、各種の表色系の値を演算できるのは公知である。最近ではＬ＊、ａ＊、  ｂ＊表示が多く用いられ、色差はΔＥ＊ａｂで表される。
【００９２】
信号処理部３は、まず、反射スペクトルデータのディジタル処理で、分光センサ１から送られてくるアナログ信号を、ディジタル信号に変換する。
【００９３】
オンライン測定の開始前に、常用標準白色面の反射率スペクトルを求めることが好ましい。これは、本測定器を、測定対象物が通らない位置に移動させて、その位置に常用標準白色面を置き、反射スペクトルを測定することにより行われる。常用標準白色面の反射スペクトルは、常用標準白色面の反射強度スペクトル値記憶部に記憶される。
【００９４】
オンライン測定時のデータの処理を次に示す。反射スペクトルデータのディジタル変換処理でディジタル信号に変換されたデータは、分光反射率演算処理で使用される。測定対象の分光反射率演算処理では、測定した測定対象物の反射スペクトルデータを、常用標準白色面の反射強度スペクトル値記憶部に記憶した常用標準白色面のスペクトルデータで割り算することにより、分光立体角反射率Ｒ（λ）を求める。
【００９５】
三刺激値Ｘ１０、Ｙ１０、Ｚ１０演算処理では、予め記憶されている色彩計算に用いる光源色の分光分布及び、等色関数と、分光反射率演算処理で求めた立体分光反射率Ｒ（λ）を用いて、三刺激値Ｘ１０、Ｙ１０、Ｚ１０を求める。
【００９６】
光源色としては、ＪＩＳ  Ｚ８７０１に標準の光Ａ、標準の光Ｃ、標準の光Ｄ６５の相対分光分布が付表として記載されている。測定対象により光源の種類が選ばれるが、本例ではＤ６５を使用している。
【００９７】
ＪＩＳでは表色系として２度視野に相当するＸＹＺ表色系の等色関数ｘ（λ）、ｙ（λ）、ｚ（λ）と、１０度視野のＸ１０Ｙ１０Ｚ１０表色系の等色関数ｘ１０（λ）、ｙ１０（λ）、ｚ１０（λ）とが定義され記載されている。本例では１０度視野のＸ１０Ｙ１０Ｚ１０表色系の等色関数を用いて計算している。（ＪＩＳ  Ｚ  ８７２２に記載されているが、主要式を下記に示す。）
【００９８】
【数１】
2004163314.tif 000006
【００９９】
【数２】
2004163314.tif 000007
【０１００】
【数３】
2004163314.tif 000008
【０１０１】
【数４】
2004163314.tif 000009
【０１０２】
ここで、
Ｓ（λ）：色の表示に用いる標準の光（Ｄ６５、Ｃ、Ａ）などの分光分布
ｘ１０（λ）、ｙ１０（λ）、ｚ１０（λ）：Ｘ、Ｙ、Ｚ表示系における等色関数
Ｒ（λ）：分光立体反射率
である。
【０１０３】
色差演算処理は、三刺激値Ｘ１０、Ｙ１０、Ｚ１０演算処理で得られた結果を、予め記憶されている各種色空間表示と色差の演算式に代入することにより、色差表示に必要な数値Ｌ＊、ａ＊、ｂ＊、を計算する。
下記に主要式を示す。
Ｌ＊  ＝  １１６（Ｙ１０／Ｙｎ１０）１／３−１６
ａ＊  ＝５００［（Ｘ１０／Ｘｎ１０）１／３−（Ｙ１０／Ｙｎ１０）１／３］
ｂ＊  ＝５００［（Ｙ１０／Ｙｎ１０）１／３−（Ｚ１０／Ｚｎ１０）１／３］
（Ｘ１０／Ｘｎ１０）＞０．００８８５６、（Ｙ１０／Ｙｎ１０）＞０．００８８５６、（Ｚ１０／Ｚｎ１０）＞０．００８８５６
色空間表示としては、Ｌ＊ａ＊ｂ＊系及びＬ＊ｕ＊ｖ＊系などがある。（ＪＩＳ  Ｚ８１０５の用語集の２０６３及び２０７０参照。）本例においてははＬ＊ａ＊ｂ＊系を使用している。
【０１０４】
色変化（色差）を求めるために色差ΔＥ＊ａｂをΔＬ＊、Δａ＊、Δｂ＊から計算する。そこで色差演算処理の中には標準の色表示に必要な数値Ｌ＊、ａ＊、ｂ＊、を記憶する部分があり、この記憶されたデータを使用して、必要に応じて色差ΔＥ＊ａｂをΔＬ＊、Δａ＊、Δｂ＊から計算する。（演算式はＪＩＳ  ８７３０に記載されている。）
【０１０５】
また、投光部２の光源の時間的な変動を補償するために、光源からの光を分割して、そのスペクトル分布により、実測された分光立体角反射率を補償するようにすることが好ましい、このような装置を図１１に示す。
【０１０６】
図１１に示す実施の形態の基本部分は図１に示す実施の形態と同じであるが、投光部２の構成が一部異なっており、かつ、光源発光スペクトル測定部７が追加されており、その出力が信号処理演算部８に入力されていることが異なっている。よって、図１と同じ構成の部分については説明を省略し、図１と異なる構成について説明する。
【０１０７】
キセノン光源２１の光は、光ファイバ２４に入射し、光ファイバ分岐部２５に導かれて、ここで光ファイバ２２と光ファイバ６１に分岐される。光ファイバ２２に分岐された光は、前述のように、測定対象物５の照明に利用される。光ファイバ６１に分岐された光は、光源発光スペクトル測定部７に導かれる。
【０１０８】
光源発光スペクトル測定部７は、拡散板６２、透過波長可変フィルタ６３、ファイバオプティックプレート６４、リニアセンサ（光電変換部）６５、アナログ信号発生部６６から構成される。
【０１０９】
光ファイバ６１により導かれた光は、拡散板６２で拡散され、透過波長可変フィルタ６３で分光されて、ファイバオプティックプレート６４を通ってリニアセンサ６５に入射して光電変換され、アナログ信号発生部６６によってアナログ信号に変換され、信号処理装置８に伝送される。
【０１１０】
分光部１と光源発生スペクトル測定部７の、それぞれのアナログ信号発生部１４と６６は、同じタイミングで駆動され、その出力が８の信号処理装置に入力される。
【０１１１】
信号処理装置８は、オフラインで常用標準白色面の反射強度スペクトルの測定時に、光源発生スペクトル測定部７からのアナログ信号を、ディジタル値に変換する。そして、光源スペクトルの変化率の演算処理において、その値を記憶しておく。そしてオンラインでの測定対象物の測定時に、光源スペクトルの変化率の演算処理において、ディジタル変換された光源発生スペクトル測定部７の信号を、記憶されている常用標準白色面の反射強度スペクトルの測定時のときの信号と比較し、光源スペクトルデータの変化率を常に計算する。そして、常用標準白色面の反射強度スペクトル値記憶部に記憶されている常用標準白色面の反射強度データを、光源スペクトルの変化率で修正する。
【０１１２】
このようにして、光源の波長分布や強度が変化しても、それらの値がオンライン測定中に実測され、それらの変化を補正するように、常用標準白色面の反射強度データが補正される。常用標準白色面の反射強度データは、測定対象物の分光立体角反射率算定の基準値として使用されるものであるので、これが実際の光源からの光の測定値により修正されることにより、常に正しい値を基準値として測定対象物の分光立体角反射率が算定される。従って、本実施の形態においては、測定中に光源の波長分布や強度が変化しても、光源の短時間の変動も、長時間の変動も補正でき、測定対象物の色彩の測定はその影響を受けず、正しく測定が行われる。
【０１１３】
図１、図１１に示すようなオンライン分光測色計においては、分光部１における波長分解能が精度に大きく影響する。特に波長分解能を決定するのは、透過波長可変フィルタ（分光部分）１１、６３からの光をリニアセンサ（光電変換部）１３、６５に伝達するコリメータである。性能のよいコリメータとして、発明者等は、金属薄板を重ねて構成した特殊なコリメータを発明し、特願２００１−３２４３５１号として特許出願している。本実施の形態においても、このようなコリメータを使用することが好ましい。
【０１１４】
以下、このようなコリメータを図を用いて説明する。
図１２は、第１の例であるコリメータの概要を示す図である。図１２において（ａ）は平面図、（ｂ）は正面図、（ｃ）はＡ−Ａ断面図、（ｄ）はＢ−Ｂ断面図である。この図は構造を説明するための概念図であるので、図示された寸法は実際の寸法とは対応していない。
【０１１５】
図を見ると分かるように、このコリメータは、中央部に幅２２００μｍの穴８４の開いた金属板８１（厚さ４０μｍ）と、穴を有しない金属板８２（厚さ１０μｍ）を交互に重ねて構成されている（穴８４の開いた金属板８１とは、後に述べるような切断前の状態であって、完成品においては、図の上部の金属板８１と下部の金属板とはつながっていない）。そして、両側を厚さ２ｍｍの金属製の押さえ板８３によって押さえられている。これらの各金属板と押さえ板は熱圧着による拡散接合により接合されている。
【０１１６】
これにより、上下方向に貫通した穴８４（４０μｍ×２０００μｍ）の部分が光を通す部分となり、金属板８２が隣の穴８４との仕切りとなり、結局幅４０μｍにコリメートされた光が通過することになる。使用する金属薄膜としては、フォトエッチングが可能な金属薄膜で積層化が可能であり、かつ熱圧着による拡散接合が可能なものであれば何でも使用できるが、ここでは、比較的安価で手に入りやすく、かつ強度の強いＳＵＳ板を使用している。他にアルミニウムも有力な材料であるが、強度の点でＳＵＳに劣る。図において点線で示された部分は、その左右の部分と構造が同じなので図示を省略しており、この実施の形態では、金属板８１を２５６枚、金属板８２を２５５枚積層して、２５６の光の通路を形成している。
【０１１７】
このコリメータは新規なものであるので、その製造方法の例を説明する。図１３に示すように、長さ１００ｍｍ、幅８ｍｍ、厚さ４０μｍのＳＵＳ薄膜８１と、厚さ１０μｍのＳＵＳ薄板８２と、長さ１００ｍｍ、幅８ｍｍ、厚さ２ｍｍのＳＵＳ板８３を用意し、ＳＵＳ薄板８１には、フォトリソグラフィとエッチングを使用して、その中央部に４０μｍ×２２００μｍの穴８４を形成する。又、ＳＵＳ薄板８１とＳＵＳ薄膜８２各板にはフォトリソグラフィとエッチングを使用して、ＳＵＳ板８３には放電加工により、直径２ｍｍの穴８５を２個開ける。加工方法としてエッチングを用いるのは、バリの発生を無くするためである。
【０１１８】
次に厚さ２ｍｍのＳＵＳ板８３の上に４０μｍのＳＵＳ薄板８１を置き、その上に厚さ１０μｍのＳＵＳ薄板８２を積み重ねる。この後は４０μｍ、１０μｍのＳＵＳ薄板を交互に積層していく。この例では、４０μｍのＳＵＳ板８１を２５６枚、１０μｍのＳＵＳ板８２を２５５枚積層し、その上に厚さ２ｍｍのＳＵＳ板８３を置く。その際、直径２ｍｍの穴８５を使用して、各板の位置合わせを行う。
【０１１９】
この状態では、この積層板は、固定されていないので、相互の接合が必要となる。ここで熱圧着の技術を使い、各ＳＵＳ板の接触面を接合させる。そのために、この積層部を上下から押さえ板（ＳＵＳと接合しない材料を使用）で積層部に圧力を加え、この状態で真空加熱炉に入れ、常温から約１０００℃まで上げて保持し、拡散接合が終了したと思われる頃を見計らい、温度を下げる。ほぼ２４時間の工程である。このようにして、図１４に示すような接合した多層板が完成する。図１４において（ａ）は平面図、（ｂ）は側面図である。
【０１２０】
次に、接合した多層板をその積層方向に切断する。一つのコリメータを切り出すための切断位置を図３に一点鎖線で示す。切断はワイヤカット放電加工による。各板が拡散接合しているので、きれいな切断面が得られる。このようにして高さＬを有する、図１２に示したようなコリメータが完成する（図１４の左右から見た図が図１２の（ａ）に対応する）。このコリメータの高さＬは図１４に示した切断時の長さで決まる。この製作方法の良いところは、コリメータの高さを任意の値に最終段階で加工できることである。波長分解能の高いニーズに対しては、Ｌを大きくする。高速性を要求するニーズにはＬを小さくすることで対応できる。
【０１２１】
以上のようにして製造されたコリメータにおいて、図１２、図１３に示す穴８４の長さ（図における上下方向長さ）が長い場合、金属板８２が熱変形して互いの平行性が保たれない場合がある。このような場合には、穴８４に補強材としてのグリッドが形成されるようにする。
【０１２２】
即ち、図１５（ａ）に示すように、一つの穴８４をエッチングで形成する際に、金属板８１の穴８４に、細いグリッド８６が形成されるように、幅が１００μｍ程度の線状の部分を残しておく。このような金属板を使用して前述のような方法でコリメータを形成すると、図１２の（ｃ）に対応する断面が図１５（ｂ）に示すようなものとなったコリメータが形成される。即ち、このコリメータにおいては、グリッド８６が金属板８１を補強するような形で形成されるので、金属板８２が曲がることなく、正確なコリメータが形成される。このグリッド８６の部分は光が通過しないので、光の伝達効率が若干落ちることになるが、実際には、グリッドは３本程度で十分である。幅（図１５の上下方向）の幅が２２００μｍで、グリッド８６の幅が１００μｍで３本としても、伝達効率が落ちるのは３／２２程度であり、あまり問題にならない。
【０１２３】
以上述べたいずれの方法においても、ワイヤカット放電加工を行うとき、金属板８２のうち金属板８１で両側を挟まれていない部分、すなわち穴８４に対応する部分の強度が弱く（厚さ４０μｍ程度の板の強度となる）、そのため、切断時に金属板８２におけるこの部分が熱変形や応力による変形をすることがある。これを防ぐために、金属板８２を図１６に示すような形状とする。即ち、ワイヤカット放電加工による切断面８７に位置する金属板８２の中央部に、穴８８を、予めエッチング等により形成しておく。この穴は、金属板８１と金属板８２を重ねたとき、金属板８１に形成された穴８４の幅方向（図１６の上下方向）を完全にカバーする大きさとする。即ち、穴８４の幅以上の高さを有する。実際には、穴８４の幅と穴８８の高さをほぼ同じとし、両方の穴が、ほぼ完全に重なり合うようにしておくことが好ましい。
【０１２４】
このようにすると、ワイヤカット放電加工で切断される部分は、穴８４と穴８８の両方に達する部分まででよく、金属板８２の、穴８４の側面を形成する部分のほとんどはワイヤカット放電加工を受けないで済む。よって、この部分が熱変形することが無く、正確なスリットが形成される。
【０１２５】
なお、以上説明したコリメータのいずれにおいても、金属板８１は、当初は１枚の板としてつながっているが、ワイヤカット放電加工を受けた後は、細かな部分に分割されてしまう。しかし、この段階では、熱圧着による拡散接合で、金属板８２と接合されているので、分割された各部分がバラバラになってしまうことはない。
【０１２６】
また、このようなコリメータとして、キャピラリプレートを用いることもできる。図１７に、このようなコリメータの例を示す。これは、浜松フォトニクス株式会社のホームページに記載されているキャピラリプレートをコリメータとして使用したものである。このキャピラリプレートは、ガラスに穴径が数μｍから数百μｍの穴を規則正しくあけたもので、その厚みは０．５ｍｍから数十ｍｍのものが製作可能とされている。
【０１２７】
このキャピラリプレートの穴の内面を、光を完全に吸収するためのコーティングを施すと、コリメータとして使用できる。このようなコリメータによって、透過波長可変フィルタ１１の出射する分光波長をリニアセンサ１３に伝送する。
【０１２８】
【発明の効果】
以上説明したように、本発明によれば、測定時の温度が基準とする温度と異なる場合においても、基準とする温度における色彩値、標準色彩値からと実測した色彩値の色差を精度良く測定可能な分光測色計を提供することができる。
【図面の簡単な説明】
【図１】本発明の第１の実施の形態であるオンライン分光測色計の構成を示す図である。
【図２】分光立体角反射率の温度特性を測定するために使用した、先願発明の実施の形態の１例であるオンライン分光測色計の構成を示す図である。
【図３】工芸用タイルの温度変化による分光立体角反射率の変化の測定結果を示す図である。
【図４】カラータイルの温度変化による分光立体角反射率の変化の測定結果を示す図である。
【図５】タイルの温度が約２５℃（基準）と約５５℃のときの、各種タイルの色差値ΔＥ＊ａｂ，  ΔＬ＊，Δａ＊，Δｂ＊の値を示す図である。
【図６】タイルの種類（メーカ）による分光立体角反射率の違いを示す図である。
【図７】タイルの違いによる分光立体角反射率の変化率を示す図である。
【図８】赤タイルの温度が変化したときの推定分光立体角反射率及び反射率差（５５℃と２５℃における差）を示す図である。
【図９】各種タイルにおける、温度変化による各色値差の変化を示す図である。
【図１０】図１に示す本発明の実施の形態の装置における分光立体角反射率、各表色系の値、色彩値、基準との色差などを演算するフローの例を示す図である。
【図１１】投光部の光源の時間的な変動を補償する機能を有する、本発明の実施の形態の１例であるオンライン分光測色計の構成を示す図である。
【図１２】第１の例であるコリメータの概要を示す図である。
【図１３】図１２に示すコリメータの製造方法を示す図である。
【図１４】接合した多層板を示す図である。
【図１５】補強部材となるグリッドを製造するための部材の構造の例と、グリッドを有する一次元コリメータの断面の例を示す図である。
【図１６】切断時における変形を防ぐための部材の構造を示す図である。
【図１７】コリメータとして用いられるキャピラリプレートの概要を示す図である。
【符号の説明】
１：分光部、２：投光部、３：信号処理部、４：演算結果表示部、５：測定対象物、６：温度計（放射温度計）、１１：透過波長可変フィルタ、１２：コリメータまたはファイバーオプティックプレート（ＦＯＰ）、１３：リニアセンサ、１４：分光信号発生回路、１５：受光レンズ、２１：キセノン光源、２２：光ファイバ、２３：投光レンズ、６１：光ファイバ、６２：拡散板、６３：透過波長可変フィルタ、６４：ファイバーオプティックプレート、６５：リニアセンサ、６６：アナログ信号発生部、８１…穴を有する金属薄板、８２…穴を有しない金属薄板、８３…押さえ板、８４…穴、８５…穴、８６…グリッド、８７…切断面、８８…穴、
【図１】
2004163314.tif 000010
【図２】
2004163314.tif 000011
【図３】
2004163314.tif 000012
【図４】
2004163314.tif 000013
【図５】
2004163314.tif 000014
【図６】
2004163314.tif 000015
【図７】
2004163314.tif 000016
【図８】
2004163314.tif 000017
【図９】
2004163314.tif 000018
【図１０】
2004163314.tif 000019
【図１１】
2004163314.tif 000020
【図１２】
2004163314.tif 000021
【図１３】
2004163314.tif 000022
【図１４】
2004163314.tif 000023
【図１５】
2004163314.tif 000024
【図１６】
2004163314.tif 000025
【図１７】
2004163314.tif 000026